(57)【要約】【課題】田面に農用資材を供給する複数のドリッパを備えて農用資材供給装置を構成する場合、農用資材が複数のドリッパから適切に田面に供給されるように構成する。【解決手段】タンク２５、タンク２５から農用資材を繰り出すポンプ２６、ポンプ２６からの農用資材が供給される供給パイプ２７を備える。農用資材の圧力が設定圧力を越えて上昇すると開き農用資材の圧力が設定圧力を越えて低下すると閉じて農用資材を田面に供給するドリッパ２８を備える。ドリッパ２８の各々に対応するように供給パイプ２７から分岐してドリッパ２８に接続される複数の分岐部２７ｄ，２７ｅを備える。供給パイプ２７の最下手部に複数個のリリーフ弁３９を並列的に備えて、リリーフ弁３９から排出された農用資材をタンク２５に戻す戻り部４０を備える。【選択図】図８
2015149944.tif 000002
【特許請求の範囲】
【請求項１】
水田作業機の後部に支持された水田作業装置に連結されて、田面に液状の農用資材を供給する農用資材供給装置であって、
液状の農用資材を貯留するタンクと、前記タンクから農用資材を繰り出すポンプと、前記ポンプからの農用資材が供給される供給パイプとが備えられ、
農用資材の圧力が設定圧力を越えて上昇すると開き農用資材の圧力が設定圧力を越えて低下すると閉じて農用資材を田面に供給するドリッパが、前記水田作業装置の複数の作業条に対応して複数備えられており、
前記ドリッパの各々に対応するように前記供給パイプから分岐して前記ドリッパに接続される複数の分岐部が備えられ、
前記供給パイプの最下手部に複数個のリリーフ弁が並列的に備えられて、前記リリーフ弁から排出された農用資材を前記タンクに戻す戻り部が備えられている農用資材供給装置。
【請求項２】
並列的に分岐する複数の分岐パイプ部が前記供給パイプに備えられて、前記分岐パイプ部の各々に前記分岐部が備えられ、
前記分岐パイプ部の各々の最下手部に前記リリーフ弁が備えられて、前記リリーフ弁から排出された農用資材が前記戻り部を介して前記タンクに戻される請求項１に記載の農用資材供給装置。
【請求項３】
前記分岐部と前記ドリッパとに亘って接続されるホースの各々に開閉弁が備えられている請求項１又は２に記載の農用資材供給装置。
【請求項４】
前記ドリッパと同じドリッパが前記リリーフ弁として備えられている請求項１〜３のうちのいずれか一つに記載の農用資材供給装置。
【請求項５】
水田作業機の後部に支持された水田作業装置に連結されて、田面に液状の農用資材を供給する農用資材供給装置であって、
液状の農用資材を貯留するタンクと、前記タンクから農用資材を繰り出すポンプと、前記ポンプからの農用資材が供給されるもので前記水田作業装置の左右方向に亘って横向きに配置される供給パイプとが備えられ、
前記水田作業装置の複数の作業条に対応して田面に農用資材を供給するように前記水田作業装置の左右方向に沿って並べて配置される複数の供給部と、前記供給部の各々に対応するように前記供給パイプから分岐する複数の分岐部とが備えられており、
前記水田作業装置の作業条の位置に応じて、前記供給部が前記水田作業装置の左右方向に位置変更可能に構成され、
正面視において、一つの前記分岐部が一つの前記供給部の位置変更の範囲内の上方に備えられて、前記分岐部と前記供給部とが可撓性のホースにより接続されている農用資材供給装置。
【請求項６】
水田作業機の後部に支持された水田作業装置に連結されて、田面に液状の農用資材を供給する農用資材供給装置であって、
液状の農用資材を貯留するタンクと、前記タンクから農用資材を繰り出すポンプと、前記ポンプからの農用資材が供給される供給パイプと、前記水田作業装置の複数の作業条に対応して田面に農用資材を供給する複数の供給部とが備えられており、
前記供給部の各々に対応するように前記供給パイプから分岐して前記供給部に接続される複数の第１分岐部が備えられ、
前記第１分岐部とは別に開口されていない第２分岐部が前記供給パイプに備えられている農用資材供給装置。
【請求項７】
前記供給パイプが前記水田作業装置の左右方向に亘って横向きに配置されて、前記第２分岐部が前記供給パイプの右及び左側部に備えられ、
前記供給パイプにおける前記右及び左の第２分岐部の間の部分に、前記第１分岐部が備えられている請求項６に記載の農用資材供給装置。
【請求項８】
水田作業機の後部に支持された水田作業装置に連結されて、田面に液状の農用資材を供給する農用資材供給装置であって、
液状の農用資材を貯留するタンクと、前記タンクから農用資材を繰り出すポンプと、前記ポンプからの農用資材が供給されるもので前記水田作業装置の左右方向に亘って横向きに配置される供給パイプとが備えられ、
前記水田作業装置の複数の作業条に対応して田面に農用資材を供給するように前記水田作業装置の左右方向に沿って並べて配置される複数の供給部と、前記供給部の各々に対応するように前記供給パイプから分岐する複数の分岐部と、前記分岐部と前記供給部とに亘って接続されるホースとが備えられ、
前記供給パイプが硬質のパイプで構成されて、前記ホースを支持する支持部材が前記供給パイプに取り付けられている農用資材供給装置。
【請求項９】
前記ホースの途中部分に開閉弁が備えられて、前記支持部材により前記開閉弁が支持されることによって、前記支持部材に前記ホースが支持されている請求項８に記載の農用資材供給装置。
【発明の詳細な説明】
【技術分野】
【０００１】
本発明は、水田作業機の後部に支持された水田作業装置（苗植付装置や直播装置）に連結されて使用される農用資材供給装置であり、液状の農用資材（例えば液状の除草剤等の薬剤や、液状の肥料等）を田面に供給（滴下）する農用資材供給装置に関する。
【背景技術】
【０００２】
前述のような農用資材供給装置としては、特許文献１，２に開示されているように、水田作業機の一例である乗用型田植機の後部に支持された苗植付装置（水田作業装置に相当）に連結されて使用されるものがある。
特許文献１，２の農用資材供給装置は田面に薬剤を供給（滴下）する薬剤滴下装置であり、苗植付装置の左右中央（植付条（作業条に相当）と植付条（作業条に相当）との間）に、薬剤を供給（滴下）するように構成されている。
【先行技術文献】
【特許文献】
【０００３】
【特許文献１】特開平９−１４０３１３号公報
【特許文献２】特開２００１−１４８９９２号公報
【発明の概要】
【発明が解決しようとする課題】
【０００４】
特許文献２では、大気圧を利用して農用資材を田面に供給するように構成されている。
これに対して、ドリッパ（農用資材の圧力が設定圧力を越えて上昇すると開き農用資材の圧力が設定圧力を越えて低下すると閉じて農用資材を田面に供給する）を使用して、農用資材供給装置を構成することが提案されている。さらに水田作業装置の作業条に対応して複数のドリッパを備えて、農用資材供給装置を構成することが考えられている。
本発明は、田面に農用資材を供給する複数のドリッパを備えて農用資材供給装置を構成する場合、農用資材が複数のドリッパから適切に田面に供給されるように構成することを目的としている。
【０００５】
特許文献１，２では、田面に農用資材を供給する供給部が農用資材供給装置に一つ（又は２つ）しか備えられていない。
これに対して、農用資材供給装置において、水田作業装置の複数の作業条（例えば６条や８条）に対応して複数の供給部を備えて、水田作業装置の複数の作業条に対応して田面に農用資材を供給するように、供給部を水田作業装置の左右方向に沿って並べて配置することが提案されている。このように構成した場合、農用資材供給装置を例えば作業条（６条）の水田作業装置に連結したり、作業条（８条）の水田作業装置に連結したりすることがある。
【０００６】
前述のように農用資材供給装置を別の水田作業装置に連結する場合、水田作業装置の作業条に応じて供給部の位置を変更する必要が生じることがある。
本発明は、田面に農用資材を供給する複数の供給部を備えて農用資材供給装置を構成する場合、農用資材供給装置を異なる水田作業装置に連結しても適切に対応できるように構成することを目的としている。
【０００７】
特許文献１，２では、田面に農用資材を供給する供給部が農用資材供給装置に一つ（又は２つ）しか備えられていない。
これに対して、農用資材供給装置において、水田作業装置の複数の作業条（例えば６条や８条）に対応して田面に農用資材を供給する複数の供給部を備えることが提案されている。このように構成した場合、農用資材供給装置を例えば作業条（６条）の水田作業装置に連結したり、作業条（８条）の水田作業装置に連結したりすることがある。
【０００８】
前述のように農用資材供給装置を別の水田作業装置に連結する場合、作業条の多い水田作業装置であると、単品として扱える供給部を追加することは比較的容易であるが、追加された供給部に対応するように、供給パイプにおいて供給部に接続される分岐部を追加することは困難なものになることが多い。
本発明は、田面に農用資材を供給する複数の供給部を備えて農用資材供給装置を構成する場合、農用資材供給装置を異なる水田作業装置に連結しても適切に対応できるように構成することを目的としている。
【０００９】
特許文献１，２では、田面に農用資材を供給する供給部が農用資材供給装置に一つ（又は２つ）しか備えられていない。
これに対して、農用資材供給装置において、水田作業装置の複数の作業条（例えば６条や８条）に対応して複数の供給部を備えて、水田作業装置の複数の作業条に対応して田面に農用資材を供給するように、供給部を水田作業装置の左右方向に沿って並べて配置することが提案されている。
【００１０】
この場合に、供給部は田面に近い比較的低い位置に配置されることがあり、供給部が水田作業装置に支持されることが多い。これに対して、液状の農用資材を貯留するタンク、タンクから農用資材を繰り出すポンプ、及びポンプから農用資材が供給される供給パイプが、供給部よりも高い位置に配置されることがあり、供給パイプと供給部とに亘ってホースが接続されるように構成される。
本発明は、田面に農用資材を供給する複数の供給部を備えて農用資材供給装置を構成する場合、供給パイプと供給部とに亘って接続されるホースを適切に支持することができるように構成することを目的としている。
【課題を解決するための手段】
【００１１】
［Ｉ］
（構成）
本発明の第１特徴は、水田作業機の後部に支持された水田作業装置に連結されて田面に液状の農用資材を供給する農用資材供給装置において、次のように構成することにある。
液状の農用資材を貯留するタンクと、前記タンクから農用資材を繰り出すポンプと、前記ポンプからの農用資材が供給される供給パイプとが備えられ、
農用資材の圧力が設定圧力を越えて上昇すると開き農用資材の圧力が設定圧力を越えて低下すると閉じて農用資材を田面に供給するドリッパが、前記水田作業装置の複数の作業条に対応して複数備えられており、
前記ドリッパの各々に対応するように前記供給パイプから分岐して前記ドリッパに接続される複数の分岐部が備えられ、
前記供給パイプの最下手部に複数個のリリーフ弁が並列的に備えられて、前記リリーフ弁から排出された農用資材を前記タンクに戻す戻り部が備えられている。
【００１２】
（作用及び発明の効果）
本発明の第１特徴によると、タンクの農用資材がポンプから供給パイプに供給されて、供給パイプの分岐部からドリッパに供給されており、ドリッパが開くことによりドリッパから田面に農用資材が供給される。ドリッパは開閉を繰り返して農用資材を田面に供給するので、ドリッパの開閉により供給パイプの圧力が上昇及び低下しており、供給パイプの余剰の農用資材がリリーフ弁から戻り部を介してタンクに戻されている。
【００１３】
この場合、本発明の第１特徴によると、供給パイプの最下手部に複数個のリリーフ弁が並列的に備えられているので、例えば供給パイプの圧力が急上昇するような厳しい状態になっても、供給パイプの余剰の農用資材が複数のリリーフ弁及び戻り部を介して素早くタンクに戻されるので、供給パイプの各部の接続部分から農用資材が漏れるというような事態は生じ難い。
【００１４】
［ＩＩ］
（構成）
本発明の第２特徴は、本発明の第１特徴の農用資材供給装置において次のように構成することにある。
並列的に分岐する複数の分岐パイプ部が前記供給パイプに備えられて、前記分岐パイプ部の各々に前記分岐部が備えられ、
前記分岐パイプ部の各々の最下手部に前記リリーフ弁が備えられて、前記リリーフ弁から排出された農用資材が前記戻り部を介して前記タンクに戻される。
【００１５】
（作用及び発明の効果）
本発明の第２特徴によると、供給パイプが１本ではなく複数の分岐パイプ部が並列的に分岐して構成されており、タンクの農用資材がポンプから複数の分岐パイプ部（供給パイプ）に均等に供給される状態となる。
これにより、特に横幅の大きな水田作業装置において、水田作業装置の右部分に対応する右の分岐パイプ部及びドリッパや、水田作業装置の左部分に対応する左の分岐パイプ部及びドリッパを備えることにより、水田作業装置の横幅に亘る田面に農用資材を均等に供給することができる。
【００１６】
この場合、本発明の第２特徴によると、分岐パイプ部の各々の最下手部にリリーフ弁が備えられており、複数のリリーフ弁が並列的に備えられる状態となっているので、分岐パイプ部の各々の余剰の農用資材が無理なくタンクに戻されるようになる。
【００１７】
［ＩＩＩ］
（構成）
本発明の第３特徴は、本発明の第１又は第２特徴の農用資材供給装置において次のように構成することにある。
前記分岐部と前記ドリッパとに亘って接続されるホースの各々に開閉弁が備えられている。
【００１８】
（作用及び発明の効果）
本発明の第３特徴によると、農用資材の田面への供給を部分的に停止する場合、開閉弁を閉じることによって対応することができる。
この場合、閉じられる開閉弁の数が多くなると、前項［Ｉ］に記載のように、供給パイプの圧力が急上昇するような厳しい状態が生じ易くなるので、供給パイプの余剰の農用資材が素早くタンクに戻されるようにする点において、複数のリリーフ弁を並列的に備えることが有効なものとなる。
【００１９】
［ＩＶ］
（構成）
本発明の第４特徴は、本発明の第１〜第３特徴の農用資材供給装置うちのいずれか一つにおいて次のように構成することある。
前記ドリッパと同じドリッパが前記リリーフ弁として備えられている。
【００２０】
（作用及び発明の効果）
本発明の第４特徴によると、農用資材を田面に供給するドリッパを、供給パイプの余剰の農用資材をタンクに戻すリリーフ弁として使用することにより、部材の共通化によるコストダウンを図ることができる。
【００２１】
［Ｖ］
（構成）
本発明の第５特徴は、水田作業機の後部に支持された水田作業装置に連結されて田面に液状の農用資材を供給する農用資材供給装置において、次のように構成することにある。
液状の農用資材を貯留するタンクと、前記タンクから農用資材を繰り出すポンプと、前記ポンプからの農用資材が供給されるもので前記水田作業装置の左右方向に亘って横向きに配置される供給パイプとが備えられ、
前記水田作業装置の複数の作業条に対応して田面に農用資材を供給するように前記水田作業装置の左右方向に沿って並べて配置される複数の供給部と、前記供給部の各々に対応するように前記供給パイプから分岐する複数の分岐部とが備えられており、
前記水田作業装置の作業条の位置に応じて、前記供給部が前記水田作業装置の左右方向に位置変更可能に構成され、
正面視において、一つの前記分岐部が一つの前記供給部の位置変更の範囲内の上方に備えられて、前記分岐部と前記供給部とが可撓性のホースにより接続されている。
【００２２】
（作用及び発明の効果）
本発明の第５特徴によると、タンクの農用資材がポンプから供給パイプに供給されて、供給パイプの分岐部からホースを介して供給部に供給されており、供給部から田面に農用資材が供給される。供給パイプが水田作業装置の左右方向に亘って横向きに配置されており、複数の供給部が水田作業装置の複数の作業条に対応して田面に農用資材を供給するように水田作業装置の左右方向に沿って並べて配置されている。
【００２３】
前述の［発明が解決しようとする課題］に記載のように、農用資材供給装置を例えば作業条（６条）の水田作業装置に連結したり、作業条（８条）の水田作業装置に連結したりする場合、作業条（６条）の水田作業装置における供給部の配置すべき位置と、作業条（８条）の水田作業装置における供給部の配置すべき位置とが異なる場合があり、作業条（６条及び８条）の水田作業装置において、供給部の位置を変更する必要がある。
【００２４】
前述の状態に対して本発明の第５特徴によると、水田作業装置の左右方向に亘って横向きに配置される供給パイプと、水田作業装置の左右方向に沿って並べて配置される複数の供給部とにおいて、供給部を水田作業装置の左右方向に位置変更可能に構成することにより、供給部の配置すべき位置が異なる水田作業装置に無理なく対応することができる。
【００２５】
この場合、本発明の第５特徴によると、正面視において、一つの分岐部が一つの供給部の位置変更の範囲内の上方に備えられており、分岐部と供給部とが可撓性のホースにより接続されている。これにより、分岐部と供給部との位置の差を可撓性のホースによって吸収することができるので、供給部を水田作業装置の左右方向に位置変更しても、分岐部の位置を変更しなくてもよくなり、供給部の配置すべき位置が異なる水田作業装置に応じて農用資材供給装置の構造を大きく変更する必要がない。
【００２６】
［ＶＩ］
（構成）
本発明の第６特徴は、水田作業機の後部に支持された水田作業装置に連結されて田面に液状の農用資材を供給する農用資材供給装置において、次のように構成することにある。
液状の農用資材を貯留するタンクと、前記タンクから農用資材を繰り出すポンプと、前記ポンプからの農用資材が供給される供給パイプと、前記水田作業装置の複数の作業条に対応して田面に農用資材を供給する複数の供給部とが備えられており、
前記供給部の各々に対応するように前記供給パイプから分岐して前記供給部に接続される複数の第１分岐部が備えられ、
前記第１分岐部とは別に開口されていない第２分岐部が前記供給パイプに備えられている。
【００２７】
（作用及び発明の効果）
前述の［発明が解決しようとする課題］に記載のように、農用資材供給装置を例えば作業条（６条）の水田作業装置に連結したり、作業条（８条）の水田作業装置に連結したりというように、作業条の数の異なる水田作業装置において、本発明の第６特徴によると、供給部の各々に対応するように供給パイプから分岐して供給部に接続される複数の第１分岐部と、第１分岐部とは別に開口されていない第２分岐部とが備えられている。
【００２８】
これにより、例えば農用資材供給装置を作業条の数の少ない水田作業装置に連結する場合、第１分岐部を使用して第１分岐部を供給部に接続し、第２分岐部は使用せずに、供給部も追加しなくてもよいように構成することができる。
農用資材供給装置を作業条の数の多い水田作業装置に連結する場合、第１分岐部を使用して供給部に接続し、これに加えて供給部を追加し、第２分岐部を使用して（第２分岐部を開口して）、第２分岐部と追加した供給部とを接続するように構成することができる。
以上のように、本発明の第６特徴によると、作業条の数の異なる水田作業装置に農用資材供給装置を連結する場合、供給部を追加するか否か、第２供給部を開口するか否かというような比較的小さな改造で、作業条の数の異なる水田作業装置に対応することができるようになる。
【００２９】
［ＶＩＩ］
（構成）
本発明の第７特徴は、本発明の第６特徴の農用資材供給装置において次のように構成することにある。
前記供給パイプが前記水田作業装置の左右方向に亘って横向きに配置されて、前記第２分岐部が前記供給パイプの右及び左側部に備えられ、
前記供給パイプにおける前記右及び左の第２分岐部の間の部分に、前記第１分岐部が備えられている。
【００３０】
（作用及び発明の効果）
水田作業装置の作業条の数に関係なく使用される第１分岐部を供給パイプの中央側に備えることにより（使用するか否かの使い分けが行われる第２分岐部を供給パイプの右及び左側部に備えることにより）、作業条の数の異なる水田作業装置に関係なく、農用資材供給装置を水田作業装置の左右方向の中央に対して右又は左に偏ることなく配置することができて、水田作業装置の左右方向のバランスを良いものにすることができる。
【００３１】
［ＶＩＩＩ］
（構成）
本発明の第８特徴は、水田作業機の後部に支持された水田作業装置に連結されて田面に液状の農用資材を供給する農用資材供給装置において、次のように構成することにある。
液状の農用資材を貯留するタンクと、前記タンクから農用資材を繰り出すポンプと、前記ポンプからの農用資材が供給されるもので前記水田作業装置の左右方向に亘って横向きに配置される供給パイプとが備えられ、
前記水田作業装置の複数の作業条に対応して田面に農用資材を供給するように前記水田作業装置の左右方向に沿って並べて配置される複数の供給部と、前記供給部の各々に対応するように前記供給パイプから分岐する複数の分岐部と、前記分岐部と前記供給部とに亘って接続されるホースとが備えられ、
前記供給パイプが硬質のパイプで構成されて、前記ホースを支持する支持部材が前記供給パイプに取り付けられている。
【００３２】
（作用及び発明の効果）
本発明の第８特徴によると、タンクの農用資材がポンプから供給パイプに供給されて、分岐部からホースを介して供給部に供給されており、供給部から田面に農用資材が供給される。供給パイプが水田作業装置の左右方向に亘って横向きに配置されており、供給部が水田作業装置の左右方向に沿って並べて配置されている。
【００３３】
この場合、供給パイプが硬質のパイプで構成されており、供給パイプに支持部材が取り付けられて、ホースが支持部材に支持されている。このように供給パイプにホースの支持機能を備えさせることにより、供給パイプをホースの支持部に兼用することができて、構造の簡素化を図ることができる。
【００３４】
［ＩＸ］
（構成）
本発明の第９特徴は、本発明の第８特徴の農用資材供給装置において次のように構成することにある。
前記ホースの途中部分に開閉弁が備えられて、前記支持部材により前記開閉弁が支持されることによって、前記支持部材に前記ホースが支持されている。
【００３５】
（作用及び発明の効果）
本発明の第９特徴によると、農用資材の田面への供給を部分的に停止する場合、開閉弁を閉じることによって対応することができる。
この場合、開閉弁は硬質の部材（硬質の樹脂や金属）で構成されているので、支持部材により開閉弁を十分な強度で支持することができるのであり、開閉弁を介してホースが支持される。
【図面の簡単な説明】
【００３６】
【図１】乗用型田植機の全体側面図である。
【図２】薬剤供給装置の平面図である。
【図３】苗植付装置及び薬剤供給装置の平面図である。
【図４】苗植付装置及び薬剤供給装置の背面図である。
【図５】薬剤供給装置のタンク及びポンプの付近の背面図である。
【図６】薬剤供給装置の斜視図である。
【図７】薬剤供給装置の供給パイプ及び支持フレーム等の分解斜視図である。
【図８】薬剤供給装置の各部の接続状態を示す縦断背面図である。
【図９】薬剤供給装置の供給パイプ（左の分岐パイプ部）、開閉弁、ホース及びドリッパの縦断背面図である。
【図１０】発明の実施の第１別形態において、薬剤供給装置を植付条の間隔（条間）が３００ｍｍの８条植え型式の苗植付装置に備えた状態での背面図である。
【図１１】発明の実施の第１別形態において、薬剤供給装置を植付条の間隔（条間）が３００ｍｍの６条植え型式の苗植付装置に備えた状態（図１１の上側）と、薬剤供給装置を植付条の間隔（条間）が３００ｍｍの８条植え型式の苗植付装置に備えた状態（図１１の下側）とを比較する為の背面図である。
【図１２】発明の実施の第２別形態において、薬剤供給装置を植付条の間隔（条間）が２５０ｍｍの８条植え型式の苗植付装置に備えた状態での背面図である。
【図１３】発明の実施の第２別形態において、薬剤供給装置を植付条の間隔（条間）が３００ｍｍの６条植え型式の苗植付装置に備えた状態（図１３の上側）と、薬剤供給装置を植付条の間隔（条間）が２５０ｍｍの８条植え型式の苗植付装置に備えた状態（図１３の下側）とを比較する為の背面図である。
【発明を実施するための形態】
【００３７】
［１］
図１に示すように、右及び左の前輪１、右及び左の後輪２で支持された機体の後部に、上下揺動自在なリンク機構３が備えられて、リンク機構３を介して６条植型式の苗植付装置５（水田作業装置に相当）が昇降自在に支持されており、リンク機構３を昇降駆動する油圧シリンダ４が備えられて、水田作業機の一例である乗用型田植機が構成されている。
【００３８】
次に、苗植付装置５について説明する。
図１及び図３に示すように、苗植付装置５は、３個の第１，２，３伝動ケース６ａ，６ｂ，６ｃ、第１，２，３伝動ケース６ａ，６ｂ，６ｃの後部に回転駆動自在に支持された一対の回転ケース７、回転ケース７の両端に備えられた一対の植付アーム８、３個の接地フロート９及び苗のせ台１０等を備えて、６条植え型式に構成されている。苗のせ台１０が左右に往復横送り駆動されるのに伴って、回転ケース７が回転駆動されて、苗のせ台１０の下部から植付アーム８が交互に苗を取り出して田面に植え付ける。
【００３９】
次に、施肥装置１１について説明する。
図１に示すように、運転座席１７の後方に３個の繰り出し部１３が左右方向に並べて支持され、肥料を貯留するホッパー１２が繰り出し部１３の上部に亘って接続されており、繰り出し部１３に送風を供給するブロア１４が運転座席１７の下方に備えられている。接地フロート９に２個の作溝器１５が連結されて、６個の作溝器１５が備えられており、繰り出し部１３と作溝器１５とに亘って６本のホース１６が接続されている。
【００４０】
以上のように、ホッパー１２、繰り出し部１３、ブロア１４、作溝器１５及びホース１６等により、施肥装置１１が構成されている。
これにより、ブロア１４の送風が繰り出し部１３に供給され、ホッパー１２から肥料が所定量ずつ繰り出し部１３により繰り出されると、ブロア１４の送風により肥料がホース１６を通って作溝器１５に供給され、作溝器１５を介して田面に供給される。
【００４１】
次に、苗のせ台１０に載置された苗に粉粒状の薬剤（苗の病気防止用）を供給する薬剤供給装置１８について説明する。
図１に示すように、苗のせ台１０に備えられた複数の支柱１９に、レール２０が苗のせ台１０の左右方向に亘って支持されている。薬剤を貯留するホッパー２１、ホッパー２１の薬剤を繰り出す繰り出し部２２、繰り出し部２２からの薬剤を苗に供給するパイプ２３が備えられており、ホッパー２１、繰り出し部２２及びパイプ２３が一体でレール２０に沿って往復移動するように構成されている。
【００４２】
以上のように、レール２０、ホッパー２１、繰り出し部２２及びパイプ２３等により、薬剤供給装置１８が構成されている。
これにより、設定距離だけ機体が進行して苗の植え付けが行われると、ホッパー２１、繰り出し部２２及びパイプ２３がレール２０に沿って苗のせ台１０の一方の端部から他方の端部に移動するのであり、この間にホッパー２１の薬剤が繰り出し部２２から繰り出されて、パイプ２３から苗のせ台１０の苗に供給される。設定距離だけ機体が進行して苗の植え付けが行われるごとに、前述の状態が繰り返される。
【００４３】
［２］
次に、田面に液状の薬剤（除草剤）（農用資材に相当）を供給する薬剤供給装置２４（農用資材供給装置に相当）の全体、並びに、薬剤供給装置２４のタンク２５及びポンプ２６について説明する。
図２，３，４に示すように、薬剤供給装置２４は、液状の薬剤を貯留するタンク２５、タンク２５から薬剤を繰り出すポンプ２６、ポンプ２６からの薬剤が供給されるもので苗植付装置５の左右方向に亘って横向きに配置される供給パイプ２７、薬剤を田面に供給する複数のドリッパ２８（供給部に相当）等を備えて構成されている。
【００４４】
図２〜５に示すように、中央の第２伝動ケース６ｂに支持フレーム２９が連結されて、左の第１伝動ケース６ａに支持フレーム３０が連結されている。タンク２５は硬質の合成樹脂で構成されており、タンク２５のフランジ状の右横部２５ｅ及びポンプ２６が支持フレーム２９に連結されて、タンク２５のフランジ状の下部２５ｄが支持フレーム３０に連結されている。これにより、背面視で第２伝動ケース６ｂの上方から少し左に寄った位置にタンク２５が支持され、第２伝動ケース６ｂの上方から少し右に寄った位置にポンプ２６が支持されている。
【００４５】
図５及び図８に示すように、キャップにより開閉自在な供給口２５ａがタンク２５の上部に備えられており、供給口２５ａにフィルタ３１が備えられている。キャップにより開閉自在な出口２５ｂがタンク２５の底部に備えられて、出口２５ｂにフィルタ３２及び出口パイプ３３が備えられている。タンク２５の左横部に戻り口２５ｃが備えられており、戻り口２５ｃがタンク２５の底部に接続されている。
【００４６】
図５及び図８に示すように、ポンプ２６は電動モータ（図示せず）により駆動されるスクイーズ型式に構成されており、出口パイプ３３とポンプ２６の入口とに亘って可撓性のホース３４が接続されている。タンク２５の薬剤の排出用として、出口パイプ３３に別の可撓性のホース３５が接続されており、通常はホース３５の端部は閉じられている。
【００４７】
［３］
次に、薬剤供給装置２４の供給パイプ２７について説明する。
図５〜８に示すように、供給パイプ２７は硬質の合成樹脂の透明のパイプで構成されており、中央のパイプ状の入口部２７ａ、入口部２７ａから右方向に延出されて再び入口部２７ａ側に延出されるＵ字状の右の分岐パイプ部２７ｂ、入口部２７ａから左方向に延出されて再び入口部２７ａ側に向くＪ字状の左の分岐パイプ部２７ｃ等を備えている。ポンプ２６の出口と供給パイプ２７の入口部２７ａとに亘って、可撓性のホース３７が接続されている。
【００４８】
図５〜８に示すように、供給パイプ２７の右及び左の分岐パイプ部２７ｂ，２７ｃに亘って、平板状の支持部２７ｆが一体的に形成されている。供給パイプ２７の支持部２７ｆの右側部が支持フレーム２９のブラケット２９ｂに連結されて、供給パイプ２７の支持部２７ｆの左側部が支持フレーム３０のブラケット３０ｂに連結されている。供給パイプ２７の右の分岐パイプ２７ｂの曲がり部に、平板状の支持部２７ｇが一体的に形成されている。図４，６，７に示すように、右の第３伝動ケース６ｃに連結された支持フレーム３６の上部に、供給パイプ２７の支持部２７ｇの右側部が連結されている。
以上のように、供給パイプ２７は支持フレーム２９，３０，３６により、苗植付装置５の左右方向に横向きに支持されている。
【００４９】
図５〜８に示すように、供給パイプ２７の右の分岐パイプ部２７ｂにパイプ状の３個の第１分岐部２７ｄ（分岐部に相当）が備えられ、供給パイプ２７の右の分岐パイプ部２７ｂの曲がり部分にパイプ状の１個の第２分岐部２７ｅが備えられている。
供給パイプ２７の左の分岐パイプ部２７ｃにパイプ状の２個の第１分岐部２７ｄ（分岐部に相当）が備えられ、供給パイプ２７の左の分岐パイプ部２７ｂの曲がり部分にパイプ状の１個の第２分岐部２７ｅが備えられている。
供給パイプ２７の第１分岐部２７ｄは開口されているのに対して、供給パイプ２７の第２分岐部２７ｅは開口されていない（第２分岐部２７ｅが供給パイプ２７の右及び左側部に備えられ、供給パイプ２７における右及び左の第２分岐部２７ｅの間の部分に、第１分岐部２７ｄが備えられている状態に相当）。
【００５０】
図４，５，６，８に示すように、供給パイプ２７の右の分岐パイプ部２７ｂの終端部に可撓性のホース３８が接続され、ホース３８にリリーフ弁３９が接続されて、リリーフ弁３９とタンク２５の戻り口２５ｃとに亘って可撓性のホース４０（戻り部に相当）が接続されている。
【００５１】
図４，５，６，８に示すように、供給パイプ２７の左の分岐パイプ部２７ｂの終端部に可撓性のホース４１が接続され、ホース４１にリリーフ弁３９が接続されて、リリーフ弁３９とタンク２５の戻り口２５ｃとに亘って可撓性のホース４０（戻り部に相当）が接続されている。この場合、リリーフ弁３９は後述するドリッパ２８と同じものが使用されている（供給パイプ２７の最下手部に複数個のリリーフ弁３９が並列的に備えられた状態に相当）（供給パイプ２７の分岐パイプ部２７ｂ，２７ｃの各々の最下手部にリリーフ弁３９が備えられた状態に相当）。
【００５２】
以上の構造により、タンク２５の薬剤が出口パイプ３３及びホース３４を介してポンプ２６に供給され、ポンプ２６からホース３７を介して繰り出されて供給パイプ２７の入口部２７ａに供給される。供給パイプ２７の入口部２７ａに供給された薬剤が、供給パイプ２７の右及び左の分岐パイプ部２７ｂ，２７ｃに供給されて、後述するように供給パイプ２７の第１分岐部２７ｄから田面に供給される。
供給パイプ２７（右及び左の分岐パイプ部２７ｂ，２７ｃ）の余剰の薬剤が、ホース３８，４１、リリーフ弁３９及びホース４０を介してタンク２５の戻り口２５ｃに供給されてタンク２５に戻る。
【００５３】
［４］
次に、薬剤を供給パイプ２７から田面に供給するドリッパ２８について説明する。
図２，４〜７に示すように、供給パイプ２７の右の分岐パイプ部２７ｂに、平板状の支持部２７ｈが一体的に形成されている。供給パイプ２７の支持部２７ｆの中央部及び支持部２７ｈの右側部に、バネ線材を折り曲げて構成された支持部材４２が連結されて、支持部材４２が下方に延出されている。支持フレーム２９，３０，３６の下部にブラケット２９ａ，３０ａ，３６ａが備えられている。
【００５４】
図２，４〜９に示すように、供給パイプ２７の第１分岐部２７ｄに可撓性のホース４３が接続され、ホース４３に開閉弁４５が接続されており、開閉弁４５に可撓性のホース４４が接続されて、ホース４４にドリッパ２８が接続されている。ドリッパ２８は、薬剤の圧力が設定圧力を越えて上昇すると開いて薬剤を田面に供給し、薬剤の圧力が設定圧力を越えて低下すると閉じて、薬剤の田面への供給を停止するように構成されている。
【００５５】
図４，６，７に示すように、供給パイプ２７の５個の第１分岐部２７ｄにおいて、左から１，３，５番目の第１分岐部２７ｄに対応する開閉弁４５が、支持フレーム２９，３０，３６のブラケット２９ａ，３０ａ，３６ａに支持され、左から２，４番目の第１分岐部２７ｄに対応する開閉弁４５が、支持部材４２の下部に支持されている。
支持フレーム２９，３０，３６及び支持部材４２によって開閉弁４５の位置が決められて、開閉弁４５によりホース４３，４４及びドリッパ２８の位置が決められており、左から３番目の供給パイプ２７の第１分岐部２７ｄ（ドリッパ２８）、及び第２伝動ケース６ｂが、苗植付装置５の左右中央位置ＣＬに位置している。
【００５６】
この場合に、図，４，５，６，８に示すように、供給パイプ２７の第１分岐部２７ｄ（苗植付装置５の左右中央位置ＣＬに位置する供給パイプ２７の第１分岐部２７ｄを除く）と、支持部材４２及び支持フレーム２９，３０，３６のブラケット２９ａ，３０ａ，３６ａとが、苗植付装置５の左右方向にずれた状態となっており、ホース４３が曲げられて、ホース４３，４４及びドリッパ２８の位置が決められた状態となっている。
【００５７】
図２〜５に示すように、側面視及び背面視においてドリッパ２８が、第１，２，３伝動ケース６ａ，６ｂ，６ｃの後部の後方、並びに、第１，２，３伝動ケース６ａ，６ｂ，６ｃの後部の間に位置しており、平面視及び背面視においてドリッパ２８が、植付アーム８により苗を田面に植え付ける植付条Ｌ１（作業条に相当）の間に位置している。この場合に、隣接する植付条Ｌ１の間隔（条間）Ｗ１は、３００ｍｍに設定されている。
【００５８】
これによって、図３，４，８、前項［３］に記載のように、供給パイプ２７（右及び左の分岐パイプ部２７ｂ，２７ｃ）に供給された薬剤が、供給パイプ２７の第１分岐部２７ｄ、ホース４３，４４及び開閉弁４５を介してドリッパ２８に供給され、ドリッパ２８から田面（植付条Ｌ１の間）に供給される。
この場合、薬剤が供給パイプ２７の入口部２７ａから右及び左の分岐パイプ部２７ｂ，２７ｃに略均等に供給され、供給パイプ２７（右及び左の分岐パイプ部２７ｂ，２７ｃ）の第１分岐部２７ｄ及びドリッパ２８から、苗植付装置５の横幅に亘る田面に薬剤が均等に供給される。
【００５９】
田面への薬剤の供給を部分的に停止する場合、所望の開閉弁４５を閉位置に操作すればよい。開閉弁４５を閉位置に操作すると、供給パイプ２７の圧力が急上昇するような厳しい状態になることがあるが、供給パイプ２７の余剰の薬剤が２個のリリーフ弁３９及び２本のホース４０を介して素早くタンク２５に戻されるので、供給パイプ２７の各部の接続部分から薬剤が漏れるというような事態は生じ難い。
【００６０】
［発明の実施の第１別形態］
前述の［発明を実施するための形態］は、植付条Ｌ１の間隔（条間）Ｗ１が３００ｍｍの６条植え型式の苗植付装置５に、薬剤供給装置２４が備えられた場合が示されている。次に同じ薬剤供給装置２４（同じタンク２５、ポンプ２６及び供給パイプ２７等）を、植付条Ｌ１の間隔（条間）Ｗ１が３００ｍｍの８条植え型式の苗植付装置５に備えた場合について、以下のように説明する。
【００６１】
図１０に示すように、８条植え型式の苗植付装置５では、４個の第１，２，３，４伝動ケース６ａ，６ｂ，６ｃ，６ｄが備えられている。左から３番目の第３伝動ケース６ｃに支持フレーム２９が連結され、左から２番目の第２伝動ケース６ｂに支持フレーム３０が連結されており、前述の［発明を実施するための形態］と同様に、タンク２５及びポンプ２６が支持フレーム２９，３０に支持されている。
【００６２】
図１０に示すように、供給パイプ２７の支持部２７ｈの右側部が支持フレーム２９のブラケット２９ｂに連結されており、供給パイプ２７の支持部２７ｆの中央部が支持フレーム３０のブラケット３０ｂに連結されている。供給パイプ２７の左の分岐パイプ部２７ｂの曲がり部に平板状の支持部２７ｊ（図３〜９参照）が一体的に形成されており、左から１番目の第１伝動ケース６ａに連結された支持フレーム４６の上部に、供給パイプ２７の支持部２７ｊが連結されている。左から４番目の第４伝動ケース６ｄに連結された支持フレーム４７の上部に、供給パイプ２７の支持部２７ｇの右側部が連結されている。
以上のように、供給パイプ２７は支持フレーム２９，３０，４６，４７により、苗植付装置５の左右方向に横向きに支持されている。
【００６３】
図１０に示すように、供給パイプ２７の支持部２７ｊ、支持部２７ｆの右側部及び支持部２７ｇの右側部に支持部材４２が連結されて、支持部材４２が下方に延出されている。支持フレーム４７，４７の下部にブラケット４６ａ，４７ａが備えられている。
【００６４】
図１０に示すように、供給パイプ２７の第１分岐部２７ｄに可撓性のホース４３が接続され、ホース４３に開閉弁４５が接続されており、開閉弁４５に可撓性のホース４４が接続されて、ホース４４にドリッパ２８が接続されている。供給パイプ２７の第２分岐部２７ｅに開口加工が施されており、供給パイプ２７の第１分岐部２７ｄと同様に、供給パイプ２７の第２分岐部２７ｅにホース４３，４４、開閉弁４５及びドリッパ２８が接続されている。
【００６５】
図１０に示すように、供給パイプ２７の５個の第１分岐部２７ｄ及び２個の第２分岐部２７ｄ，２７ｅにおいて、第２分岐部２７ｅ及び左から２，４番目の第１分岐部２７ｄに対応する開閉弁４５が、支持フレーム２９，３０，４６，４７のブラケット２９ａ，３０ａ，４６ａ，４７ａに支持され、左から１，３，５番目の第１分岐部２７ｄに対応する開閉弁４５が、支持部材４２の下部に支持されている。
支持フレーム２９，３０，４６，４７及び支持部材４２によって開閉弁４５の位置が決められ、開閉弁４５によりホース４３，４４及びドリッパ２８の位置が決められており、左から３番目の供給パイプ２７の第１分岐部２７ｄ（ドリッパ２８）が、苗植付装置５の左右中央位置ＣＬに位置している。
【００６６】
この場合、図１０に示すように、供給パイプ２７の第１及び第２分岐部２７ｄ，２７ｅ（苗植付装置５の左右中央位置ＣＬに位置する供給パイプ２７の第１分岐部２７ｄを除く）と、支持部材４２及び支持フレーム２９，３０，４６，４７のブラケット２９ａ，３０ａ，４６ａ，４７ａとが、苗植付装置５の左右方向にずれた状態となっており、ホース４３が曲げられて、ホース４３，４４及びドリッパ２８の位置が決められた状態となっている。
【００６７】
図１０に示すように、平面視及び背面視においてドリッパ２８が、第１，２，３，４伝動ケース６ａ，６ｂ，６ｃ，６ｄの後部の後方、並びに、第１，２，３，４伝動ケース６ａ，６ｂ，６ｃ，６ｄの後部の間に位置しており、ドリッパ２８が、植付アーム８により苗を田面に植え付ける植付条Ｌ１（作業条に相当）の間に位置している。
【００６８】
これにより、図１０及び前項［３］に記載のように、供給パイプ２７（右及び左の分岐パイプ部２７ｂ，２７ｃ）に供給された薬剤が、供給パイプ２７の第１及び第２分岐部２７ｄ，２７ｅ、ホース４３，４４及び開閉弁４５を介してドリッパ２８に供給され、ドリッパ２８から田面（植付条Ｌ１の間）に供給される。
【００６９】
前述の［発明を実施するための形態］のように、薬剤供給装置２４を植付条の間隔（条間）Ｗ１が３００ｍｍの６条植え型式の苗植付装置５に備えた状態（図１１の上側）と、この［発明の実施の第１別形態］に記載のように、薬剤供給装置２４を植付条の間隔（条間）Ｗ１が３００ｍｍの８条植え型式の苗植付装置５に備えた状態（図１１の下側）とを比較すると、図１１に示す状態となる。
【００７０】
図１１に示すように、前述の２つの状態において植付条Ｌ１の位置は同じであるので、ドリッパ２８の位置も同じものとなるのであり、苗植付装置５の左右中央位置ＣＬに対する供給パイプ２７の位置も同じものとなる。
前述の２つの状態において、苗植付装置５の左右中央位置ＣＬに対して、支持フレーム２９，３０の位置が異なるものとなり、タンク２５及びポンプ２６の位置が異なるものとなる。
【００７１】
［発明の実施の第２別形態］
前述の［発明を実施するための形態］［発明の実施の第１別形態］は、植付条Ｌ１の間隔（条間）Ｗ１が３００ｍｍの６条植え型式（８条植え型式）の苗植付装置５に、薬剤供給装置２４が備えられた場合が示されている。次に同じ薬剤供給装置２４（同じタンク２５、ポンプ２６及び供給パイプ２７等）を、植付条Ｌ２（作業条に相当）の間隔（条間）Ｗ２が２５０ｍｍの８条植え型式の苗植付装置５に備えた場合について、以下のように説明する。
【００７２】
図１２に示すように、植付条Ｌ２の間隔（条間）Ｗ２が２５０ｍｍの８条植え型式の苗植付装置５において、第１，２，３，４伝動ケース６ａ，６ｂ，６ｃ，６ｄの間隔は、植付条Ｌ１の間隔（条間）Ｗ１が３００ｍｍの８条植え型式の苗植付装置５に比べて小さいものとなっている。
【００７３】
以上のような状態において図１２に示すように、前述の［発明の実施の第１別形態］と同様に支持フレーム２９，３０により、タンク２５、ポンプ２６及び供給パイプ２７が支持されている。前述の［発明の実施の第１別形態］の支持フレーム４６，４７に代えて、少し短い支持フレーム４８，４９が用意されており、左から１番目の第１伝動ケース６ａに連結された支持フレーム４８の上部に、供給パイプ２７の支持部２７ｊが連結されている。左から４番目の第４伝動ケース６ｄに連結された支持フレーム４９の上部に、供給パイプ２７の支持部２７ｇの右側部が連結されている。
【００７４】
図１２に示すように、供給パイプ２７の支持部２７ｆの右側部及び左側部、支持部２７ｇの左側部に支持部材４２が連結されて、支持部材４２が下方に延出されている。支持フレーム４８，４９の下部にブラケット４８ａ，４９ａが備えられている。
【００７５】
図１２に示すように、供給パイプ２７の第１分岐部２７ｄに可撓性のホース４３が接続され、ホース４３に開閉弁４５が接続されており、開閉弁４５に可撓性のホース４４が接続されて、ホース４４にドリッパ２８が接続されている。供給パイプ２７の第２分岐部２７ｅに開口加工が施されており、供給パイプ２７の第１分岐部２７ｄと同様に、供給パイプ２７の第２分岐部２７ｅにホース４３，４４、開閉弁４５及びドリッパ２８が接続されている。
【００７６】
この場合、図１２に示すように、供給パイプ２７の第１及び第２分岐部２７ｄ，２７ｅ（苗植付装置５の左右中央位置ＣＬに位置する供給パイプ２７の第１分岐部２７ｄを除く）と、支持部材４２及び支持フレーム２９，３０，４８，４９のブラケット２９ａ，３０ａ，４８ａ，４９ａとが、苗植付装置５の左右方向にずれた状態となっており、ホース４３が曲げられて、ホース４３，４４及びドリッパ２８の位置が決められた状態となっている。
【００７７】
図１２に示すように、供給パイプ２７の５個の第１分岐部２７ｄ及び２個の第２分岐部２７ｄ，２７ｅにおいて、第２分岐部２７ｅ及び左から２，４番目の第１分岐部２７ｄに対応する開閉弁４５が、支持フレーム２９，３０，４８，４９のブラケット２９ａ，３０ａ，４８ａ，４９ａに支持され、左から１，３，５番目の第１分岐部２７ｄに対応する開閉弁４５が、支持部材４２の下部に支持されている。
支持フレーム２９，３０，４６，４７及び支持部材４２によって開閉弁４５の位置が決められ、開閉弁４５によりホース４３，４４及びドリッパ２８の位置が決められており、左から３番目の供給パイプ２７の第１分岐部２７ｄ（ドリッパ２８）が、苗植付装置５の左右中央位置ＣＬに位置している。
【００７８】
図１２に示すように、平面視及び背面視においてドリッパ２８が、第１，２，３，４伝動ケース６ａ，６ｂ，６ｃ，６ｄの後部の後方、並びに、第１，２，３，４伝動ケース６ａ，６ｂ，６ｃ，６ｄの後部の間に位置しており、ドリッパ２８が、植付アーム８により苗を田面に植え付ける植付条Ｌ２の間に位置している。
【００７９】
この場合、図１３に示すように、植付条Ｌ１の間隔（条間）Ｗ１が３００ｍｍの８条植え型式の苗植付装置５（図１３の上側）と、植付条Ｌ２の間隔（条間）Ｗ２が２５０ｍｍの８条植え型式の苗植付装置５（図１３の下側）とにおいて、苗植付装置５に対する供給パイプ２７（第１及び第２分岐部２７ｄ，２７ｅ）の左右方向での位置が同じであるのに対して、開閉弁４５、ホース４４及びドリッパ２８の位置が、苗植付装置５の左右方向にずれた状態となっている。
【００８０】
例えば  図１３に示すように、左から１番目の供給パイプ２７の第１分岐部２７ｄに対して、植付条Ｌ１の間隔（条間）Ｗ１が３００ｍｍの８条植え型式の苗植付装置５の開閉弁４５、ホース４４及びドリッパ２８が左に変位しており、植付条Ｌ２の間隔（条間）Ｗ２が２５０ｍｍの８条植え型式の苗植付装置５の開閉弁４５、ホース４４及びドリッパ２８が右に変位している。
【００８１】
この場合、図１３に示すように、支持部材４２及び支持フレーム２９，３０，４８，４９によって開閉弁４５、ホース４４及びドリッパ２８に位置が決められることにより、開閉弁４５、ホース４４及びドリッパ２８が、苗植付装置５の左右方向に位置変更される状態となっている（水田作業装置５の作業条Ｌ１，Ｌ２の位置に応じて、供給部２８が水田作業装置５の左右方向に位置変更可能に構成される状態に相当）。
【００８２】
図１３に示すように、正面視（背面視）において、開閉弁４５、ホース４４及びドリッパ２８の位置変更の範囲Ｈ内の上方に、供給パイプ２７の第１分岐部２７ｄが位置しており、開閉弁４５、ホース４４及びドリッパ２８の位置変更が、可撓性のホース４３によって許容されている（正面視において、一つの分岐部２７ｄが一つの供給部２８の位置変更の範囲Ｈ内の上方に備えられて、分岐部２７ｄと供給部２８とが可撓性のホース４３により接続されている状態に相当）。
【００８３】
図１３において、例えば左から１番目の供給パイプ２７の第１分岐部２７ｄ（ドリッパ２８）に着目すると、薬剤供給装置２４を植付条Ｌ１の間隔（条間）Ｗ１が３００ｍｍの６条植え型式の苗植付装置５に備えた状態（図１３の上側）と、薬剤供給装置２４を植付条Ｌ２の間隔（条間）Ｗ２が２５０ｍｍの８条植え型式の苗植付装置５に備えた状態（図１３の下側）とにおいて、左から１番目の供給パイプ２７の第１分岐部２７ｄは同じ位置に位置している。
【００８４】
図１３において、左から１番目の供給パイプ２７の第１分岐部２７ｄに対応するドリッパ２８においては、図１３の上側の状態では、左から１番目の供給パイプ２７の第１分岐部２７ｄに対してドリッパ２８が左側に位置している。これに対して、図１３の下側の状態では、左から１番目の供給パイプ２７の第１分岐部２７ｄに対してドリッパ２８が右側に位置している。このように正面視（背面視）において、開閉弁４５、ホース４４及びドリッパ２８の位置変更の範囲Ｈ内の上方に、供給パイプ２７の第１分岐部２７ｄが位置する状態となっている。
【００８５】
［発明の実施の第３別形態］
前述の［発明を実施するための形態］［発明の実施の第１別形態］［発明の実施の第２別形態］において、薬剤の圧力が上昇して第１設定圧力を越えると開き、薬剤の圧力が第１設定圧力から第１設定圧力よりも低圧の第２設定圧力に低下すると閉じて、所定量の薬剤を田面に供給するように、ドリッパ２８を構成してもよい。
前述のようなドリッパ２８に代えて、供給部を常時開口した細い内径を持つノズル部材に構成してもよい。
【００８６】
［発明の実施の第４別形態］
前述の［発明を実施するための形態］［発明の実施の第１別形態］〜［発明の実施の第３別形態］において、供給パイプ２７に３個又は４個の分岐パイプ部を並列的に分岐させて構成してもよい。
【００８７】
分岐パイプ部を備えずに供給パイプ２７を１本のパイプ状に構成してもよい。このように構成した場合、供給パイプ２７の最下手部から、複数本のホース４０を並列的に分岐させてタンク２５に接続し、各々のホース４０にリリーフ弁３９を備えるように構成すればよい。
【００８８】
前述の［発明を実施するための形態］［発明の実施の第１別形態］〜［発明の実施の第３別形態］において、支持フレーム２９，３０，３６，４６，４７，４８，４９を左右逆に構成して、タンク２５、ポンプ２６及び供給パイプ２７等を左右逆に配置するように構成してもよい。
【産業上の利用可能性】
【００８９】
本発明は、液状の薬剤ではなく液状の肥料を田面に供給する農用資材供給装置や、機体の後部に直播装置（水田作業装置に相当）を支持した乗用型直播機において、直播装置に連結されて液状の薬剤や肥料を田面に供給する農用資材供給装置にも適用できる。
【符号の説明】
【００９０】
５              水田作業装置
２５            タンク
２６            ポンプ
２７            供給パイプ
２７ｂ，２７ｃ  分岐パイプ部
２７ｄ          分岐部、第１分岐部
２７ｅ          分岐部、第２分岐部
２８            ドリッパ、供給部
３９            リリーフ弁
４０            戻り部
４２            支持部材
４３            ホース、可撓性のホース
４４            ホース
４５            開閉弁
Ｈ              供給部の位置変更の範囲
Ｌ１，Ｌ２      作業条
【図１】
2015149944.tif 000003
【図２】
2015149944.tif 000004
【図３】
2015149944.tif 000005
【図４】
2015149944.tif 000006
【図５】
2015149944.tif 000007
【図６】
2015149944.tif 000008
【図７】
2015149944.tif 000009
【図８】
2015149944.tif 000010
【図９】
2015149944.tif 000011
【図１０】
2015149944.tif 000012
【図１１】
2015149944.tif 000013
【図１２】
2015149944.tif 000014
【図１３】
2015149944.tif 000015